(57)【要約】【課題】ＴＣＰテープのはみ出しがなく、常に一定の位置に安定した状態でＴＣＰテープを保持することのできるＴＣＰ用包装層間テープおよびＴＣＰ包装パッケージを提供すること。【解決手段】ＴＣＰ用包装層間テープ１は、ポリスチレンやポリプロピレンなどのプラスチックの発泡シートのプレス成型により形成され、中央部２に連設してその両側部に形成されたテープ支持部３１、３２ならびにテープ支持部３１、３２上面の内側部に設けられ、ＴＣＰテープと同じ幅および高さで中央部２に平行な面を持つテープ係止部４１、４２からなる。ＴＣＰテープは、リールへの巻き取り時にＴＣＰテープ係止部４１、４２に支持され、ＴＣＰ用包装層間テープ１の間からはみ出すことなくリール内での位置を保ち、常に安定した状態で保管、輸送される。【選択図】  図１
2004158592.tif 000002
【特許請求の範囲】
【請求項１】
ＴＣＰテープの幅よりやや幅の狭いテープ状の中央部と、
前記中央部の両側部とそれぞれ連設し、且つ前記中央部の長手方向に沿って形成されるテープ支持部と、
前記テープ支持部にそれぞれテープ支持部の長手方向に沿って連続して設けられ、前記ＴＣＰテープを前記中央部と間隔をおいて支持するためのテープ係止部とを
具備することを特徴とするＴＣＰ用包装層間テープ。
【請求項２】
ＴＣＰテープの幅よりやや幅の狭いテープ状の中央部と、
前記中央部の両側部とそれぞれ連設して前記中央部の長手方向に沿って形成され、且つ前記中央部のテープ厚より肉厚で、その上面及び下面がそれぞれ前記中央部の上面及び下面に対して上方または下方に位置しているテープ支持部と、
前記テープ支持部上面の内側端部をそれぞれ前記テープ支持部の長手方向に沿って設けられ、且つ前記ＴＣＰテープを前記中央部と間隔をおいて支持するための切欠構造のテープ係止部とを
具備することを特徴とするＴＣＰ用包装層間テープ。
【請求項３】
前記テープ支持部の上面および下面の一方に凸部が形成され、他方に凹部が形成され、ＴＣＰ用包装層間テープの積層に際して、この凹凸部が係合されることを特徴とする請求項１または２に記載のＴＣＰ用包装層間テープ。
【請求項４】
前記テープ支持部の上面および下面のそれぞれに山形カットが形成され、ＴＣＰ用包装層間テープの積層に際して、上下面の山形カットが相互に噛み合うように山形の形状および形成位置が設定されていることを特徴とする請求項１または２に記載のＴＣＰ用包装層間テープ。
【請求項５】
ＴＣＰテープの幅より幅が狭く、且つその一部に蛇腹部を有するテープ状の中央部と、
前記中央部の両側部にそれぞれ前記中央部と直交して設けられ、且つ前記中央部の長手方向に沿って形成されたテープ支持部と、
前記テープ支持部の内側部にそれぞれ前記テープ支持部の長手方向に沿って設けられ、且つ前記ＴＣＰテープを前記中央部と間隔をおいて支持するための窪み構造のテープ係止部とを
具備することを特徴とするＴＣＰ用包装層間テープ。
【請求項６】
前記テープ係止部の窪み構造は、前記テープ支持部を断面コ字型に成型して設けたことを特徴とする請求項５に記載のＴＣＰ用包装層間テープ。
【請求項７】
前記テープ係止部間の距離は、ＴＣＰテープの幅にほぼ等しいことを特徴とする請求項１乃至６のいずれか１項に記載のＴＣＰ用包装層間テープ。
【請求項８】
リールと、
前記リールに巻き取られるＴＣＰテープと、
前記ＴＣＰテープの層間に挟みこまれて前記ＴＣＰテープと一緒に前記リールに巻き取られるＴＣＰ用包装層間テープと
を備え、
前記ＴＣＰ用包装層間テープが、前記ＴＣＰテープの幅よりやや幅の狭いテープ状の中央部と、
前記中央部の両側部にそれぞれ連設して前記中央部の長手方向に沿って形成されるテープ支持部と、
前記テープ支持部にそれぞれ前記テープ支持部の長手方向に沿って連続して設けられ、ＴＣＰテープを前記中央部と間隔をおいて支持するためのテープ係止部とを
具備することを特徴とするＴＣＰ包装パッケージ。
【請求項９】
前記ＴＣＰ用包装層間テープは、ＴＣＰテープの幅よりやや幅の狭いテープ状の中央部と、前記中央部の両側部とそれぞれ連設して前記中央部の長手方向に沿って形成され、且つ前記中央部のテープ厚より肉厚で、その上面及び下面がそれぞれ前記中央部の上面及び下面に対して上方または下方に位置しているテープ支持部と、前記テープ支持部上面の内側端部をそれぞれ前記テープ支持部の長手方向に沿って設けられ、且つ前記ＴＣＰテープを前記中央部と間隔をおいて支持するための切欠構造のテープ係止部とを具備することを特徴とする請求項８に記載のＴＣＰ包装パッケージ。
【請求項１０】
前記ＴＣＰ用包装層間テープは、前記ＴＣＰテープの幅より幅が狭く、且つその一部に蛇腹部を有するテープ状の中央部と、前記中央部の両側部にそれぞれ前記中央部と直交して設けられ、且つ前記中央部の長手方向に沿って形成されたテープ支持部と、前記テープ支持部の内側部にそれぞれ前記テープ支持部の長手方向に沿って設けられ、且つ前記ＴＣＰテープを前記中央部と間隔をおいて支持するための窪み構造のテープ係止部とを具備することを特徴とする請求項８に記載のＴＣＰ包装パッケージ。
【発明の詳細な説明】
【０００１】
【発明の属する技術分野】
本発明は、包装時にＴＣＰ（テープキャリアパッケージ）テープをリールに巻き取る際、そのＴＣＰテープ層間に使用されるＴＣＰ用包装層間テープおよびそれを用いたＴＣＰ包装パッケージに関するものである。
【０００２】
【従来の技術】
ＴＣＰは、合成樹脂等からなるテープ上に半導体チップを直接搭載したもので、連続したテープの状態で多数の半導体チップを保管、輸送できるという利点を持つ。
【０００３】
図７は、ＴＣＰの包装パッケージの例を示すもので、ＴＣＰテープ５７はリール５２に巻き取られた状態で包装される。その際、上下に重なる半導体チップ５４が直接接触して傷つくことがないように、ＴＣＰテープ５７の間に、ＴＣＰテープ５７と同じ幅を有するＴＣＰ用包装層間テープ５１が挿入される。
【０００４】
図８（ａ）は、従来のＴＣＰ用包装層間テープ５１の上面形状を表す図で、ＴＣＰ用包装層間テープ５１の両側部には、それぞれ多数の突起物５３がエンボス成型加工等によりテープ長手方向に等間隔で形成されている。
【０００５】
図８（ｂ）は、このＴＣＰ用包装層間テープ５１のテープ幅方向のＢ−Ｂ線に沿う断面図であり、突起物５３は、ＴＣＰ用包装層間テープ５１の上面と下面の両方に設けられている。
【０００６】
図９は、ＴＣＰテープ５７とＴＣＰ用包装層間テープ５１がリール５２に巻き取られたときの状態を示す断面図である。ＴＣＰテープ５７は、その両側端が上下のＴＣＰ用包装層間テープ５１の突起物５３に挟まれ、突起物５３との摩擦力によりその位置が保持される。
【０００７】
【発明が解決しようとする課題】
しかしながら、従来のＴＣＰ用包装層間テープには、次のような問題点があった。
【０００８】
それは、ＴＣＰテープの巻き取り位置にテープ幅方向のずれが生じても、それを防止できないという点である。
【０００９】
図１０は、巻き取り装置の調整不良等で、ＴＣＰテープ５７がＴＣＰ用包装層間テープ５１からはみ出して巻き取られたときの状態を示す断面図である。
【００１０】
従来のＴＣＰ用包装層間テープ５１は、その両側部が開放状態であるため、ＴＣＰテープ５７の巻き取り位置がテープ幅方向にずれても、その位置を正すことができない。そのため、ＴＣＰテープ５７は、ＴＣＰ用包装層間テープ５１からはみ出した状態で、リール５２に巻き取られてしまう。
【００１１】
このとき、ＴＣＰテープ５７はテープの片方の側部でしかＴＣＰ用包装層間テープ５１の突起物５３に挟まれていないため、その水平位置が不安定であり、リール巻き取り時や輸送時等に発生する外的機械振動により、ＴＣＰテープ５７も振動する。
【００１２】
このようなＴＣＰテープ５７の振動は、ＴＣＰテープ５７に搭載される半導体チップ５４に伝わり、半導体チップ５４の破損や断線等の問題を発生させる。
【００１３】
そこで、本発明の目的は、ＴＣＰ用包装層間テープの間からＴＣＰテープがはみ出すことなく、常に一定の位置に安定した状態でＴＣＰテープを保持することのできるＴＣＰ用包装層間テープおよびそれを用いたＴＣＰ包装パッケージを提供することにある。
【００１４】
【課題を解決するための手段】
上記目的を達成するために、本発明のＴＣＰ用包装層間テープは、ＴＣＰテープの幅よりやや幅の狭いテープ状の中央部と、前記中央部の両側部とそれぞれ連設し、且つ前記中央部の長手方向に沿って形成されるテープ支持部と、前記テープ支持部にそれぞれテープ支持部の長手方向に沿って連続して設けられ、前記ＴＣＰテープを前記中央部と間隔をおいて支持するためのテープ係支部とを具備することを特徴とする。
【００１５】
このような本発明のＴＣＰ用包装層間テープによれば、ＴＣＰ用包装層間テープの間からＴＣＰテープがはみ出すことなく、常に安定した状態でＴＣＰテープ係止部にＴＣＰテープを保持することができる。
【００１６】
また、上記目的を達成するために、本発明のＴＣＰ包装パッケージは、リールと、前記リールに巻き取られるＴＣＰテープと、前記ＴＣＰテープの層間に挟みこまれて前記ＴＣＰテープと一緒に前記リールに巻き取られるＴＣＰ用包装層間テープとを備え、前記ＴＣＰ用包装層間テープが、前記ＴＣＰテープの幅よりやや幅の狭いテープ状の中央部と、前記中央部の両側部にそれぞれ連設して前記中央部の長手方向に沿って形成されるテープ支持部と、前記テープ支持部にそれぞれ前記テープ支持部の長手方向に沿って連続して設けられ、ＴＣＰテープを前記中央部と間隔をおいて支持するためのテープ係止部とを具備することを特徴とする。
【００１７】
このような本発明のＴＣＰ包装パッケージによれば、常に安定した状態でＴＣＰテープを保管でき、ＴＣＰテープに搭載される半導体チップに損傷を与えることなく保管及び輸送ができる。
【００１８】
【発明の実施の形態】
以下、図面を参照しながら本発明の実施の形態（以下、実施形態という）を説明する。
【００１９】
（第１の実施形態）
図１は本発明の第１の実施の形態に係わるＴＣＰ用包装層間テープの斜視図、図２は図１のＡ−Ａ線に沿う断面図である。
【００２０】
ＴＣＰ用包装層間テープ１は、ポリスチレンやポリプロピレンなどのプラスチックの発泡シートをプレス成型によりテープ状に形成してなり、中央部２の両側部にテープ支持部３１、３２がその中央部２と連設してそれぞれ形成されている。
【００２１】
このテープ支持部３１、３２は、中央部２のテープ厚より肉厚で、例えば断面矩形状に形成され、また、その上面および下面がそれぞれ中央部２の上面および下面に対して上方または下方に位置するように形成されている。
【００２２】
このテープ支持部３１、３２の上面の内側端部には、内側端部を切り欠いて形成したＴＣＰテープを支持するための、例えば切欠構造のテープ係止部４がそれぞれ形成されている。このテープ係止部４１、４２の切欠部の上面は、中央部２と平行に形成され、且つ中央部２の両側部のテープ係止部４１、４２の切欠部間の距離（または幅）ｗは、ＴＣＰテープ幅と同じ幅または１ｍｍ程度大きい幅に形成され、その高さｔは、ＴＣＰテープの厚みに合わせ、ほぼ同じ厚みに形成されている。また、テープ係止部４１、４２の切欠部の上面は、中央部２の上面より上方に位置し、ＴＣＰテープをこの上面に載置した際に、ＴＣＰテープと中央部２との間に間隔を形成するような高さに形成されている。このテープ支持部３１、３２は、中央部２の長手方向に沿って形成され、またテープ係止部４１、４２の切欠部は、テープ支持部３１、３２の長手方向に沿って形成されている。すなわち、このテープ支持部３１、３２ならびにテープ係止部４１、４２の切欠部は、ＴＣＰ用包装層間テープ１の長手方向に沿って連続して形成されている。
【００２３】
しかして、ＴＣＰテープは、テープ支持部３１、３２におけるテープ係止部４１、４２の切欠部上面に跨って載置されることにより、中央部２と間隔をおいて支持される。
【００２４】
また、テープ支持部３１、３２は、その上面および下面が山形にカットされ、リールに巻き取られたときに上下面の山部（凸部）と谷部（凹部）が係合して、ＴＣＰ用包装層間テープ１をお互いに支えあう役目を果たす。
【００２５】
なお、ここでは上下面に山形を形成したが，一方の面に凸部，他の面に凹部を設け、ＴＣＰ用包装層間テープ１を積層した際，その凸部と凹部が係合するようにしてもよい。
【００２６】
また、テープ支持部３１、３２は、上下層のＴＣＰ用包装層間テープ１の中央部２の相互間に所定の間隔を保つ。
【００２７】
図３は、本実施形態のＴＣＰ用包装層間テープ１を用いて、ＴＣＰテープ７をリールに巻き取ったときの状態を示す断面図で，ここではリールは図示していない。ＴＣＰテープ７は、常にテープ係止部４１、４２の切欠部上面間に跨って配置され、且つその上面に支持され、テープ支持部３１、３２の上下面の山部と谷部がお互いに噛み合って積層された際、ＴＣＰテープ７の両側部は、上下層のＴＣＰ用包装層間テープ１におけるテープ係止部４１、４２の切欠部上面とテープ支持部３１、３２下面により、狭持されて安定に保持される。しかも、そのＴＣＰテープ７における両側部の端面は、テープ係止部４１、４２の切欠部の側面に当接し、水平方向の移動が抑制されており、ＴＣＰ用包装層間テープ１の間からはみ出すこともない。
【００２８】
一方、テープ支持部３１、３２は、上下層のＴＣＰ用包装層間テープ１の中央部２の相互間に所定の間隔を保つため、ＴＣＰテープ７がＴＣＰ用包装層間テープ１の中央部２と接触することはない。
【００２９】
このように本実施形態によれば、ＴＣＰ用包装層間テープ１の間からＴＣＰテープ７がはみ出すことなく、常に安定した状態でＴＣＰテープ係止部４１、４２にＴＣＰテープ７を保持することができる。
【００３０】
（第２の実施形態）
図４は、本発明の第２の実施形態に係るＴＣＰ用包装層間テープの断面図である。
【００３１】
ＴＣＰ用包装層間テープ１１は、エラストマーのような高弾性材料の押し出し成型により均一の厚みを持って形成され、中央部１２の両側部にそれぞれテープ支持部１３１、１３２がその中央部１２と連設して形成されている。
【００３２】
このテープ支持部１３１、１３２は、中央部１２と直交して上方に延在形成されている。ここでは、中央部１２の両側部がそれぞれ折り曲げられ、さらに端部が内側方向に中央部と平行に折り曲げられた断面逆Ｌ字形に形成されている。
【００３３】
このテープ支持部１３１、１３２の内側部には、それぞれＴＣＰテープを中央部１２と間隔をおいて支持するための、例えば窪み構造のテープ係止部１４１、１４２が形成されている。ここでは、窪み構造のテープ係止部１４１、１４２は、成型加工により、テープ支持部１３１、１３２の途中を外側方向に押し出して断面コ字型の窪み構造を形成している。
【００３４】
なお、ここではテープ係止部１４１、１４２の窪み構造を外側方向に押し出して形成したが、テープ支持部１３１、１３２を肉厚にして、その内側面を成型加工により窪ませて窪みを形成してもよい。
【００３５】
しかして、このテープ係止部１４１、１４２の窪み間に跨ってＴＣＰテープが設けられ、ＴＣＰテープの両側部をテープ係止部１４１、１４２の窪みに嵌め込むことにより、ＴＣＰテープは中央部１２と間隔をおいてテープ係止部１４１、１４２に支持される。
【００３６】
そのため、ＴＣＰテープの下面と当接するテープ係止部１４１、１４２の窪みの面は、中央部１２と平行に形成され、且つ中央部１２の両側部のテープ係止部１４１、１４２の窪み間の距離ｗは、ＴＣＰテープの幅とほぼ同じ幅に形成され、その窪み幅ｔは、ＴＣＰテープの厚みに合わせ、ほぼ同じ厚みに形成されている。また、中央部１２上面からのテープ係止部１４１、１４２の窪みまでの高さは、ＴＣＰテープをこの窪みに嵌め込んだ際に、ＴＣＰテープと中央部１２との間に間隔を形成するような高さに形成されている。
【００３７】
このテープ支持部１３１、１３２は、中央部１２の長手方向に沿って形成され、またテープ係止部１４１、１４２の窪みは、テープ支持部１３１、１３２の長手方向に沿って形成されている。すなわち、このテープ支持部１３１、１３２ならびにテープ係止部１４１、１４２の窪みは、ＴＣＰ用包装層間テープ１１の長手方向に沿って連続して形成されている。
【００３８】
また、中央部１２の中央は複数回折り曲げられて、蛇腹部１８を形成している。
【００３９】
また、テープ支持部１３１、１３２の上端部における折り曲部は、リールに巻き取られたときに上層のＴＣＰ用包装層間テープ１１のテープ支持部１３１、１３２の下面に密着し、上下層のＴＣＰ用包装層間テープ１１の相互間に所定の間隔を保ちながら、ＴＣＰ用包装層間テープ１１をお互いに支えあう役目を果たす。
【００４０】
図５（ａ）〜（ｃ）は、本実施形態のＴＣＰ用包装層間テープ１１にＴＣＰテープ７を支持させるときの様子を示す断面図である。以下、この図を参照しながら、本実施形態のＴＣＰ用包装層間テープ１１にＴＣＰテープ７を支持させる方法を説明する。
【００４１】
ＴＣＰ用包装層間テープ１１のテープ支持部１３１、１３２の上端部が内側に折り曲げられているため、通常の状態では、ＴＣＰ用包装層間テープ１１の上方側における開口部の幅は、ＴＣＰテープ７の幅より狭くなっている。そのため、ＴＣＰテープ７を上方からＴＣＰ用包装層間テープ１１に収容しようとしてもＴＣＰテープ７がＴＣＰ用包装層間テープ１１のテープ支持部１３１、１３２の折り曲げ部にぶつかってしまい、ＴＣＰテープ７をＴＣＰ用包装層間テープ１１の内側へ移動させることができない。
【００４２】
そこで、ＴＣＰテープ７をＴＣＰ用包装層間テープ１１に収容しようとするときは、まず、図５（ａ）に示すように、ＴＣＰ用包装層間テープ１１に外側への引っ張り力を与え、蛇腹部１８を伸張させてＴＣＰ用包装層間テープ１１の開口部の幅を広げる。
【００４３】
ＴＣＰ用包装層間テープ１１の開口部の幅がＴＣＰテープ７の幅より広くなると、図５（ｂ）に示すように、ＴＣＰテープ７は、ＴＣＰ用包装層間テープ１１の開口部を通過でき、ＴＣＰ用包装層間テープ１１の内側へ移動させることができるようになる。
【００４４】
ＴＣＰテープ７がＴＣＰ用包装層間テープ１１の内側を移動し、ＴＣＰテープ係止部１４１、１４２の窪みの位置にまで到達したら、ＴＣＰ用包装層間テープ１１への引っ張り力の供給を止める。この引っ張り力がなくなると、蛇腹部１８は、その材質の弾性力で収縮し、元の形状に戻る。
【００４５】
そうすると、図５（ｃ）に示すように、ＴＣＰテープ７は、ＴＣＰテープ係止部１４１、１４２の窪み内にその両側部が収納され、以後、蛇腹部１８の収縮力により、ＴＣＰテープ係止部１４１、１４２の窪み間に安定して保持される。
【００４６】
図６は、本実施形態のＴＣＰ用包装層間テープ１１を用いて、ＴＣＰテープ７をリールに巻き取ったときの状態を示す断面図で、ここではリールは図示していない。ＴＣＰテープ７が収納されると、蛇腹部１８は、その材質の弾性力で収縮し、その収縮力でＴＣＰテープ７はテープ係止部１４１、１４２の窪みに安定して保持される。
【００４７】
また、テープ支持部１３１、１３２の両側部における端面は、テープ係止部１４１、１４２の窪み底面と当接し、水平方向の移動が抑制されており、ＴＣＰテープ７はＴＣＰ用包装層間テープ１１の間からはみ出すこともない。
【００４８】
一方、テープ支持部１３１、１３２は、上下層のＴＣＰ用包装層間テープ１１の中央部１２の相互間に所定の間隔を保つため、ＴＣＰテープ７がＴＣＰ用包装層間テープ１１の中央部１２と接触することはない。
【００４９】
このように本実施形態によれば、ＴＣＰ用包装層間テープ１１は成型の容易な構造ながら、ＴＣＰ用包装層間テープ１１の間からＴＣＰテープ７がはみ出すことなく、高弾性材料の弾性力を利用して常に安定した状態で、テープ係止部１４１、１４２にＴＣＰテープ７を保持することができる。
【００５０】
【発明の効果】
このような本発明のＴＣＰ用包装層間テープによれば、ＴＣＰ用包装層間テープの間からＴＣＰテープがはみ出すことなく、常に安定した状態でテープ係止部にＴＣＰテープを保持することができる。
【００５１】
そのため、リール巻き取り時や輸送時等に外的機械振動が発生しても、ＴＣＰテープが振動することなく、ＴＣＰテープに搭載される半導体チップの破損や断線等の問題の発生を防止できる。
【図面の簡単な説明】
【図１】本発明の第１の実施形態に係るＴＣＰ用包装層間テープの斜視図
【図２】本発明の第１の実施形態に係るＴＣＰ用包装層間テープの断面図。
【図３】本発明の第１の実施形態に係るＴＣＰ用包装層間テープが巻き取られたときの状態を示す断面図。
【図４】本発明の第２の実施形態に係るＴＣＰ用包装層間テープの断面図。
【図５】本発明の第２の実施形態に係るＴＣＰ用包装層間テープにＴＣＰテープを収納するときの様子を示す断面図。
【図６】本発明の第２の実施形態に係るＴＣＰ用包装層間テープが巻き取られたときの状態を示す断面図。
【図７】ＴＣＰの包装の例を示す図。
【図８】（ａ）従来のＴＣＰ用包装層間テープの上面形状を表す図。
（ｂ）従来のＴＣＰ用包装層間テープのテープ幅方向の断面図。
【図９】従来のＴＣＰ用包装層間テープが巻き取られたときの状態を示す断面図。
【図１０】ＴＣＰテープが従来のＴＣＰ用包装層間テープからはみ出して巻き取られたときの状態を示す断面図。
【符号の説明】
１、１１、５１  ＴＣＰ用包装層間テープ
２、１２  中央部
３１、３２、１３１、１３２  テープ支持部
４１、４２、１４１、１４２  テープ係止部
７、５７  ＴＣＰテープ
１８  蛇腹部
５２  リール
５３  突起物
５４  半導体チップ
ｗ  距離（幅）
ｔ  高さ（窪み幅）
【図１】
2004158592.tif 000003
【図２】
2004158592.tif 000004
【図３】
2004158592.tif 000005
【図４】
2004158592.tif 000006
【図５】
2004158592.tif 000007
【図６】
2004158592.tif 000008
【図７】
2004158592.tif 000009
【図８】
2004158592.tif 000010
【図９】
2004158592.tif 000011
【図１０】
2004158592.tif 000012